(57)【要約】【課題】  収納作業の円滑化を図ることが可能なホースの収納構造を提供する。【解決手段】  吐水具（シャワーヘッド）を保持する保持部（ホルダー）が設けられた設置部と  吐水具が保持部に保持される場合に収納空間部２に収納され、保持部から取り外された場合に使用空間部に引き出される、引き出し使用部５３を備えるホース５０と、を備える吐水設備において、ホース５０を収納するための収納構造Ｓである。ホース５０の引き出し使用部５３よりも一次側の部位に軸心を湾曲させた湾曲部５７ａ、５８ａを備える弾性蓄積部５６を設ける。そして、その一次側の端部５６ａ等を固定的に支持するための固定部材（固定具２９）を収納空間部２内に配設し、二次側の端部５６ｂ等を、移動を許容しつつ支持するためのガイド部材（ガイドリング６０）を収納空間部２内に配設する。【選択図】      図６
2007002546.tif 000002
【特許請求の範囲】
【請求項１】
所定の吐水具を着脱可能に保持するための保持部が設けられた設置部と
一次側の端部を、湯水を流入させる流入部とし、二次側の端部を前記吐水具に湯水を流出させる流出部とすると共に、前記吐水具が前記保持部に保持される場合に前記設置部の裏側の収納空間部に収納され、前記吐水具が前記保持部から取り外された場合に、前記設置部の挿通部を通じて、前記設置部の表側の使用空間部に引き出される、引き出し使用部を備えるホースと、
を備える吐水設備において、前記ホースを前記収納空間部に収納するためのホースの収納構造であって、
前記ホースの前記引き出し使用部よりも一次側の部位において、軸心を湾曲させた湾曲部を備える弾性蓄積部が設けられ、
前記ホースにおいて前記湾曲部よりも一次側に位置する第１の部位を固定的に支持するための固定部材が前記収納空間部内に配設されると共に、
該ホースにおいて前記第１の部位よりも二次側に位置する第２の部位を、前記ホースの軸心方向に沿った移動を許容しつつ支持するためのガイド部材が前記収納空間部内に配設されることを特徴とするホースの収納構造。
【請求項２】
前記第１の部位は、前記弾性蓄積部の一次側の端部であることを特徴とする請求項１に記載のホースの収納構造。
【請求項３】
前記第２の部位は、前記弾性蓄積部の二次側の端部、及び、前記弾性蓄積部の軸心方向に沿った中間部のうちの少なくとも一方から選択されることを特徴とする請求項１又は請求項２に記載のホースの収納構造。
【請求項４】
前記湾曲部の軸心方向に沿った中間部を、前記ホースの軸心方向に沿った移動を許容しつつ支持する湾曲中間部用のガイド部材が前記収納空間部内に配設されることを特徴とする請求項１乃至請求項３の何れかに記載のホースの収納構造。
【請求項５】
前記ホースにおいて、前記引き出し使用部と、前記弾性蓄積部との中間に位置する所定の部位を、前記ホースの軸心方向に沿った移動を許容しつつ支持する外部ガイド部材が前記収納空間部内に配設されることを特徴とする請求項１乃至請求項４の何れかに記載のホースの収納構造。
【請求項６】
前記弾性蓄積部の軸心は、略長円形、略Ｕ字形、略円形、略楕円形、若しくは、中間角が２７０〜７２０度以下の渦巻き形となる部分を含むことを特徴とする請求項１乃至請求項５の何れかに記載のホースの収納構造。
【請求項７】
前記固定部材は、前記ガイド部材よりも下方に配設されることを特徴とする請求項１乃至請求項６の何れかに記載のホースの収納構造。
【発明の詳細な説明】
【技術分野】
【０００１】
本発明は、ホースの収納構造に関する。
【背景技術】
【０００２】
吐水具（例えば、シャワーヘッド等）の端末部に接続したホース（例えば、シャワーホース等）の中には、所定の収納空間部に引き出し可能な状態で収納されるものがある（特許文献１を参照）。つまり、設置部（カウンター、デッキ部等の台部や、壁部等）の表側に設置される吐水具と、設置部の裏側に設置される「湯水の供給源の端末部」と、両者を接続するためのホース（シャワーホース等の吐水ホース）とを備える吐水設備が知られている。
【０００３】
この種の吐水設備（この種の吐水設備を備える水栓）の設置空間（洗面所、浴室、台所等）においては、設置部に、通常、吐水具を着脱可能に保持するための保持部（ホルダーやフック）が設けられる。また、この設置部には、通常、挿通部が孔状等に設けられ、ホースの引き出し使用部（例えば、ホースの中間部等で構成）が、この挿通部に抜き差し自在に挿通される。
【０００４】
そして、吐水具が保持部に保持される場合、この引き出し使用部は、設置部の裏側（台部の下側、壁部の後側等）に形成される収納空間部に収納される。一方、吐水具が保持部から取り外され、設置部の表側の使用空間部内（洗面所内、浴室内、台所内等）で使用される場合、引き出し使用部が、この使用空間内に引き出される。そして、吐水具の使用後、吐水具を保持部によって保持することになるが、この際、引き出し使用部が、再び、収納空間部に収納される。
【特許文献１】特開平１１−３３６１４９号公報
【発明の開示】
【発明が解決しようとする課題】
【０００５】
ところで、従来のこの種の吐水設備（水栓）には以下のような問題がある。つまり、従来の吐水設備（水栓）では、引き出し使用部を収納空間部に収納する作業が、引き出し使用部の自重を利用した自然落下力や、人的な押し込み力を頼りに行われる。このため、引き出し使用部の収納作業をスムースに行うことができず、吐水設備（水栓）の使用者に無用のストレスを与えることがあった。例えば、使用者が、引き出し使用部の収納作業を行う際に、「引き出し使用部がどこかに引っ掛かっているような感触（抵抗感）」を得ることとなり、この収納作業によって無用のストレスを受けることがあった。
【０００６】
本発明は、上述の課題を解決するものであり、引き出し使用部を収納空間部に収納する収納作業を、円滑に行うことを可能とするホースの収納構造を提供することを目的とする。
【課題を解決するための手段】
【０００７】
請求項１の発明のホースの収納構造は、
所定の吐水具を着脱可能に保持するための保持部が設けられた設置部と
一次側の端部を、湯水を流入させる流入部とし、二次側の端部を前記吐水具に湯水を流出させる流出部とすると共に、前記吐水具が前記保持部に保持される場合に前記設置部の裏側の収納空間部に収納され、前記吐水具が前記保持部から取り外された場合に、前記設置部の挿通部を通じて、前記設置部の表側の使用空間部に引き出される、引き出し使用部を備えるホースと、
を備える吐水設備において、前記ホースを前記収納空間部に収納するためのホースの収納構造であって、
前記ホースの前記引き出し使用部よりも一次側の部位において、軸心を湾曲させた湾曲部を備える弾性蓄積部が設けられ、
前記ホースにおいて前記湾曲部よりも一次側に位置する第１の部位を固定的に支持するための固定部材が前記収納空間部内に配設されると共に、
該ホースにおいて前記第１の部位よりも二次側に位置する第２の部位を、前記ホースの軸心方向に沿った移動を許容しつつ支持するためのガイド部材が前記収納空間部内に配設されることを特徴とする。
【０００８】
請求項１の発明によると、引き出し使用部を使用空間部に引き出した場合、湾曲部にその曲率を増加させるような弾性変形を与えることができる。この弾性変形は、吐水設備の使用者が、吐水具を使用している間は維持される。例えば、吐水具の使用者が、吐水具を把持するか、所定の固定手段（フック等）に固定して、吐水具を拘束するため、引き出し使用部の収納空間部への収納が禁止され、湾曲部の弾性変形が維持される。そして、この弾性変形に伴う弾性エネルギーは、弾性蓄積部（湾曲部）に蓄積される。一方、この使用者が、吐水具の使用を取り止め、吐水具の拘束を解除すると、湾曲部はその弾性変形を解除する。そして、この湾曲部はその弾性変形を解除する際に放出される弾性エネルギーを用いて、、引き出し使用部は収納空間部内に引き込まれる。
【０００９】
つまり、請求項１の発明では、弾性変形中の弾性蓄積部（特に、湾曲部）が「変形前の状態」を復元する際の反力を用いて、引き出し使用部を収納空間部内に引き込むことができる。よって、請求項１の発明によると、引き出し使用部を収納空間部に収納する際の抵抗感が軽減され、この引き出し使用部の収納作業を、円滑に行うことができる。しかも、請求項１の発明では、弾性蓄積部の形態が、固定部材及びガイド部材の作用によって維持されるため、この「引き出し使用部の収納作業の円滑化」という効果を確実に維持することができる。
【００１０】
また、請求項１の発明では、「ホースに弾性蓄積部を設ける」という、簡単な改良を加えるだけで、「引き出し使用部の収納作業の円滑化」という効果を得ることができる。つまり、当該「効果」を得るために、吐水設備（水栓）の使用者、製造業者、施工業者等に大きな「費用上の負担」を与えることはない。
【００１１】
本出願では、ホースにおける位置や、位置関係等を示すため、「一次側」及び「二次側」なる語句を用いているが、これらは、以下の意味を有している。つまり、「一次側」は「上流側（即ち、湯水の通過方向に沿った上流側）」を意味し、「二次側」は「下流側（即ち、湯水の通過方向に沿った下流側）」を意味する。また、各請求項の発明の「吐水具」は、シャワー吐水を行うためのシャワーヘッドに限定されるものでなく、種々の態様の吐水（通常吐水、泡沫吐水等）を行うための吐水ヘッド等が含まれる。また、各請求項の発明の「設置部」としては、例えば、「カウンター部やデッキ部等の台部」、若しくは、壁部等を例示できる。また、各請求項の発明において、「設置部の裏側（収納空間部）」としては、台部の下方側や壁部の背後等を例示でき、「設置部の表側（使用空間部）」としては、設置部が設置される空間部（つまり、吐水具の使用空間部であって、洗面所内、浴室内、台所内等の空間部を例示できる。）である。
【００１２】
各請求項の発明の「保持部」としては、「吐水具」を着脱可能に保持するための「ホルダー」、「吐水具」を着脱可能に保持するための「フック」等の他に、設置部に設けられる「保持孔」等を例示できる。また、各請求項の発明の「湯水」は、「湯」若しくは「水」の意味で用いられ、その温度は特に問わない。つまり、この「湯水」は、（１）水道配管から供給されたままの状態の「水（以下、「原水」という。）」と、（２）「原水」を暖め若しくは沸かして構成される「湯（以下、「原湯」という。）」と、（３）「原水」と「原湯」とを混合した「混合水」とのうちの何れをも指す意味で用いる。
【００１３】
各請求項の発明において、「ホース」の一次側の端部（流入部）には、「湯水の供給源の端末部」が直接的に、若しくは、接続具（ジョイント等）等の部材を介して間接的に、「湯水の供給源の端末部」が接続されるが、この「湯水の供給源の端末部」の態様は特に問わない。例えば、この「湯水の供給源の端末部」を、（ａ）水栓本体の湯水の流出口、（ｂ）水栓本体の湯水の流出口に接続された供給管の端末部、（ｃ）給湯器の湯水の流出口に接続された供給管の端末部、若しくは、（ｄ）水栓の設置部位に原水を供給するための元配管の端末部、等によって構成することができる。尚、各請求項の発明において、「ホース」の二次側の端部（流出部）を、直接的に吐水具の基端部に接続してもよいし、接続具（ジョイント等）等の部材を介して間接的に吐水具の基端部に接続してもよい。
【００１４】
各請求項の発明において、弾性蓄積部を構成する湾曲部の数や中心角は種々選択できる。例えば、（Ａ）両端側に開口部が対向する状態で湾曲部を配置すると共に、湾曲部の端部に直線状の部分を一体化した形状を備える弾性蓄積部（つまり、略長円形の弾性蓄積部）、（Ｂ）１つの湾曲部のみで構成される弾性蓄積部（略円弧状の弾性蓄積部）、（Ｃ）湾曲部を連続状に設けて構成される弾性蓄積部（略円形状の弾性蓄積部や、略渦巻き状の弾性蓄積部等）を例示できる。また、「ホース」において、弾性蓄積部が形成される部位は種々選択でき、例えば、「ホースにおける１次側の端部側の部分（つまり、ホースにおける１次側の端部を含む部分であって、弾性蓄積部を形成できる幅を持った部分）」や、「ホースの中間部（つまり、ホースにおける１次側の端部を含まない部分であって、弾性蓄積部を形成できる幅を持った部分）」等を例示できる。
【００１５】
また、各請求項の発明において、使用する固定部材やガイド部材の数は一個であっても、複数であってもよい。尚、弾性蓄積部が複数の湾曲部を備える場合、個々の湾曲部の一次側に第１の部位を設け、各第１の部位を別個の固定部材で支持してもよい。但し、弾性蓄積部が複数の湾曲部を備える場合においては、最も一次側に位置する湾曲部の一次側のみに第１の部位を設け、当該第１の部位のみを固定部材で支持すると、「引き出し使用部の引き出し作業時」に、当該「複数の湾曲部」の全てを弾性変形させることができる。この場合、「引き出し使用部の収納作業時」に、弾性蓄積部がより大きな牽引力を発揮するため、当該「引き出し使用部の収納作業」を更に円滑に行うことができる。
【００１６】
ホースは適度な弾性を備えることが必要である。例えば、ゴムホース、樹脂ホースの他に、金属製の螺旋管及び樹脂製チューブとを備える多層ホースを例示できる。この多層ホースは、所謂「メタルホース」と称されるホースであり、略蛇腹状で、金属製の螺旋管を用いて構成されるアウター管と、樹脂製チューブによって構成されると共にアウター管に挿通させるインナー管と、を備える。尚、各請求項の発明において、弾性蓄積部の湾曲方向（巻回方向）としては、略水平な方向に沿った中心軸回りを湾曲する方向（縦巻き方向）であっても、略上下方向に沿った中心軸回りを湾曲する方向（横巻き方向）であってもい。
【００１７】
請求項２の発明のホースの収納構造は、請求項１に記載のホースの収納構造において、
前記第１の部位は、前記弾性蓄積部の一次側の端部であることを特徴とする。
【００１８】
請求項２の発明は、「引き出し使用部の収納作業」を更に一層、円滑に行うことを意図している。つまり、第１の部位を弾性蓄積部の一次側の端部とすることで、「引き出し使用部の引き出し作業時」に弾性変形を生ずる部位を、弾性蓄積部の広範な部位（例えば、全体）とすることができる。このため、「引き出し使用部の収納作業時」に、弾性蓄積部がより一層、大きな牽引力を発揮するため、当該「引き出し使用部の収納作業」を更に一層、円滑に行うことができる。尚、請求項１の発明においては、第１の部位を弾性蓄積部の中間部（軸心方向に沿った中間部）から選択することもできる。
【００１９】
ここで、請求項２の発明において、固定部材の装着箇所は、弾性蓄積部の一次側の端部自体であってもよいし、当該「一次側の端部」よりも１次側の部位（以下、「前者」という。）や、当該「一次側の端部」よりも２次側の部位であってもよい。ここで、前者の具体例として、「湯水の供給源の端末部」、「湯水の供給源の端末部及びホースの１次側の端部との接続部分」、「湯水の供給源の端末部及びホースの１次側の端部との間に介在される接続具（但し、接続具を使用する場合）」等を例示できる。
【００２０】
請求項３の発明のホースの収納構造は、請求項１又は請求項２に記載のホースの収納構造において、
前記第２の部位は、前記弾性蓄積部の二次側の端部、及び、前記弾性蓄積部の軸心方向に沿った中間部のうちの少なくとも一方から選択されることを特徴とする。
【００２１】
請求項３の発明では、第２の部位の具体例を構成している。ここで、請求項２の発明においては、第２の部位をホースの軸心方向に沿った複数の箇所に設けてもよい。例えば、第２の部位を、弾性蓄積部の二次側の端部と、弾性蓄積部の軸心方向に沿った中間部とに設けてもよい（中間部は１カ所でも、複数箇所でもよい。）。
【００２２】
このように、第２の部位を弾性蓄積部の複数箇所に設けると、弾性蓄積部の形態保持をより、確実に行うことができる。例えば、弾性蓄積部を略長円状に構成し、弾性蓄積部の１次側の端部を、固定部材で支持し、弾性蓄積部の２次側の端部と中間部とをガイド部材で支持する。この場合、ホースの引き出し使用部を使用空間部内に引き出し、弾性蓄積部を変形させ、当該弾性蓄積部の略長円状を潰した状態としても（つまり、対向する一対の湾曲部が曲率を増し、対向する一対の直線部が間隔を狭めるように、弾性蓄積部が変形しても）、当該弾性蓄積部が略長円状を維持することが容易である。このため、この変形後の弾性蓄積部が十分な弾性エネルギーを蓄積するため、ホースの引き出し使用部を収納空間部に収納する際に、より円滑な収納作業を行うことができる。
【００２３】
尚、第２の部位は、湾曲部の軸心方向に沿った中間部に設けてもよい。この場合、この第２の部位を支持するためのガイド部材は、後述する請求項４の発明の「湾曲中間部用のガイド部材」としての機能を発揮してもよい。また、弾性蓄積部が、複数の湾曲部を備える場合、個々の湾曲部毎を１個若しくは複数個のガイド部材で支持してもよいし、複数の湾曲部から選択される所定の１個若しくは２個以上の湾曲部を、１個若しくは複数個のガイド部材で支持してもよい。
【００２４】
請求項４の発明のホースの収納構造は、請求項１乃至請求項３の何れかに記載のホースの収納構造において、
前記湾曲部の軸心方向に沿った中間部を、前記ホースの軸心方向に沿った移動を許容しつつ支持する湾曲中間部用のガイド部材が前記収納空間部内に配設されることを特徴とする。
【００２５】
請求項４の発明の「湾曲中間部用のガイド部材」は、請求項１〜請求項３の発明の「ガイド部材」としての機能の他に、湾曲部を保護するための保護部材（ストッパー）としても機能する。つまり、ホースの使用空間部への引き出し量が過量となると、湾曲部の中間部が過度に変形する（例えば、座屈状に屈曲する）ことがある。そして、この過度の変形が繰り返されると、湾曲部に過度の負担が掛かり、湾曲部（弾性蓄積部）の弾性が徐々に低下し、請求項１〜請求項３の発明の効果（収納作業を円滑化する効果）を発揮できなくなる可能性がある。一方、請求項４の発明では、湾曲中間部ガイド部材の働きで、湾曲部が過度に変形することを防止し、湾曲部を保護する。このため、請求項１〜請求項３の発明の効果（収納作業を円滑化する効果）を長期間に渡って発揮できる。尚、請求項４の発明において、弾性蓄積部が複数の湾曲部を備える場合、全ての湾曲部を湾曲中間部用のガイド部材で支持してもよいし、全ての湾曲部から選択される１個若しくは２個以上の湾曲部を湾曲中間部用のガイド部材で支持してもよい。また、湾曲中間部用のガイド部材による支持箇所としては、例えば、湾曲中間部の軸線の中点等の最も「凸」となる箇所を例示できる。
【００２６】
請求項５の発明のホースの収納構造は、請求項１乃至請求項４の何れかに記載のホースの収納構造において、
前記ホースにおいて、前記引き出し使用部と、前記弾性蓄積部との中間に位置する所定の部位を、前記ホースの軸心方向に沿った移動を許容しつつ支持する外部ガイド部材が前記収納空間部内に配設される。
【００２７】
請求項５の発明においては、「ホースの収納作業時等に生じ得る摩擦抵抗」を軽減し、請求項１〜請求項４の発明の効果（収納作業を円滑化する効果）をより確実に発揮することを意図している。つまり、請求項５の発明によると、ホースにおいて、支持部材で支持される範囲を拡大することができる。つまり、ホースを固定部材と、ガイド部材（湾曲中間部用のガイド部材を用いる場合は、当該ガイド部材も含まれる。）との他に、外部ガイド部材によっても支持する。このため、ホースと、収納空間部の底面部との接触面積を少なくする（「ゼロ」にすることも含む。）ことができるため、ホースの収納作業を行う際の摩擦抵抗を軽減できる。このため、請求項１〜請求項４の発明の効果（収納作業を円滑化する効果）をより確実に発揮できる。尚、請求項５の発明において、外部ガイド部材の数は１つであっても、複数であってもよい。
【００２８】
請求項６の発明のホースの収納構造は、請求項１乃至請求項５の何れかに記載のホースの収納構造において、
前記弾性蓄積部の軸心は、略長円形、略Ｕ字形、略円形、略楕円形、若しくは、中間角が２７０〜７２０度以下の渦巻き形となる部分を含むことを特徴とする。
【００２９】
請求項６の発明は、弾性蓄積部の具体的な形状を例示するものである。この請求項６の発明に示すように、弾性蓄積部は湾曲部のみで構成されても、湾曲部と他の部分（直線部）とで構成されてもよい。
【００３０】
請求項７の発明のホースの収納構造は、請求項１乃至請求項５の何れかに記載のホースの収納構造において、
前記固定部材は、前記ガイド部材よりも下方に配設されることを特徴とする。
【００３１】
請求項７の発明によると、ホースの引き出し使用部の収納作業を、更により円滑に行うことができる。蓋し、弾性蓄積部が蓄積した弾性エネルギーばかりか、弾性蓄積部に働く重力をも利用しつつ、引き出し使用部の収納を行うことができるからである。
【発明の効果】
【００３２】
以上のように、各請求項の発明によると、引き出し使用部を収納空間部に収納する収納作業を、円滑に行うことを可能とする、ホースの収納構造が得られる。
【発明を実施するための最良の形態】
【００３３】
次に、本各発明に係わる「ホースの収納構造（以下、「収納構造」という。）Ｓ」の最良の形態（以下、「実施例」という。）を図面に従って詳細に説明する。
【００３４】
この収納構造Ｓは、図１等に示すように、所謂「洗面化粧台（シャワー付きの洗面台）」Ｄに対して適用されるものである。この洗面化粧台Ｄは、洗面所Ｅの壁部Ｈに沿って配置されるものである。つまり、背面部を洗面所Ｅの壁部Ｈに当接させ、底面部を洗面所Ｅの床部Ｙの上方に離間させつつ、洗面所Ｅ内に配置されるものである（図３〜図５を参照）。この洗面化粧台Ｄは、台本体１０と、台本体１０に装着された水栓本体２０と、水栓本体２０に装着された操作部３１、３２と、シャワーヘッド４０と、シャワーホース５０と、を備えている。尚、シャワーヘッド４０と、シャワーホース５０と、を用いて「吐水設備」の具体例が構成される。
【００３５】
台本体１０は、剛性の高い樹脂（例えば、ＦＲＰ）を主体に構成される略箱状体であり、図３〜図５に示すように、背面部に開口部（点検口）１１を備える。また、「台本体１０の略板状とされた上面部」によって、設置部１２の具体例を構成している。そして、洗面所Ｅの内部空間のうちで、設置部１２の表側に位置する空間部によって使用空間部１が構成される、また、設置部１２の裏側に位置する空間部、つまり、台本体１０の内部に位置する空間部によって収納空間部２が構成される。
【００３６】
図１に示すように、設置部１２の幅方向（洗面化粧台Ｄの正面の使用者Ｍから見て横方向）に沿った中間部には、洗面ボール部１３が凹設状に設けられている。また、設置部１２において、洗面ボール部１３よりも一方の側方側の部位（使用者Ｍから見て左側方側の部位）には、図３及び図４に示すように、２つの取付孔１４、１５が設けられている。これらの取付孔１４、１５は、何れも、設置部１２を肉厚方向（上下方向）に貫通する状態に設けられている。尚、これらの取付孔１４、１５の一方（１４）には、水栓本体２０の一部を構成する流路切換部２１が装着され（図３を参照）、他方（１５）には、水栓本体２０の他部を構成する温度調節部２２が装着されている（図４を参照）。このように、水栓本体２０は、流路切換部２１と、温度調節部２２とを別体で備えている。但し、この水栓本体２０は、（ａ）流路切換部及び温度調節部を一体的に備える水栓本体、（ｂ）流路切換部のみで構成される水栓本体、（ｃ）流路切換機能を備えない吐止水部及び温度調節部を一体若しくは別体で備える水栓本体、（ｄ）流路切換機能を備えない吐止水部のみで構成される水栓本体、等であってもよい。
【００３７】
流路切換部２１は、図３に示すように、内部に流路切換用の弁装置（図示を省略）を内蔵すると共に、軸心方向に沿った一端面から、この流路切換用の弁装置を操作するための操作軸（スピンドル）２１ａの一端側を突出させている。そして、流路切換部２１は、この操作軸（スピンドル）２１ａ一端側を、設置部１２の上方に突出させつつ、取付孔１４（設置部１２）に装着されている。更に、この操作軸（スピンドル）２１ａの一端側には、操作部３１（流路切換用のハンドル）が一体可動可能に装着されている。
【００３８】
温度調節部２２は、図４に示すように、内部に温度調節用の弁装置（図示を省略）を内蔵すると共に、軸心方向に沿った一端面から、この温度調節用の弁装置を操作するための操作軸（スピンドル）２２ａの一端側を突出させている。そして、温度調節弁部は、操作軸（スピンドル）２２ａの一端側を、設置部１２の上方に突出させつつ、取付孔１５（設置部１２）に装着されている。更に、この操作軸（スピンドル）２２ａの一端側には、操作部３２（温度調節用のハンドル）が一体可動可能に装着されている。
【００３９】
尚、この設置部１２の下方（収納空間部２）には、図２に示すように、給湯配管５の端末部と、給水配管６の端末部とが到達している。そして、給湯配管５の端末部は、温度調節部２２の湯流入口２２ｃに接続され、給水配管６の端末部は、温度調節部２２の水流入口２２ｄに接続されている。また、使用者Ｍが、操作部３２を何れかの回転方向に操作すると、この操作方向と操作量に基づいて温度調節用の弁装置が稼働する。
【００４０】
これにより、湯流入口２２ｃを通じて温度調節部２２に流入した湯（原湯）と、水流入口２２ｄを通じて温度調節部２２に流入した水（原水）とが、「温度調節用の弁装置」によって所定の混合割合で混合され、所定の温度の「混合水」となる。そして、この「混合水」は、温度調節部２２の流出口２２ｅから流出する。但し、使用者Ｍが操作部３２に与える操作の態様によっては、給湯配管５から温度調節部２２に供給された湯（原湯）が、流出口２２ｅからそのまま流出したり、給水配管６から温度調節部２２に供給された水（原水）が、流出口２２ｅからそのまま流出することがある。
【００４１】
設置部１２の下方（収納空間２）には、流路切換部２１と、温度調節部２２とを連絡するための連絡管（図示を省略）が配置されている。この連絡管の一次側の端部は、温度調節部２２の流出口２２ｅに接続され、この連絡管の二次側の端部は、流路切換部２１の流入口２１ｂに接続されている。このため、温度調節部２２の流出口２２ｅから流出する湯水（混合水、湯、若しくは、水）が、流入口２１ｂを通じて流路切換部２１に流入する。
【００４２】
流路切換部２１は、図３に示すように、第１の流出口２１ｃと、第２の流出口（図示を省略）とを備えている。尚、この第２の流出口は、「他の吐水設備（他の水栓）」に湯水を流出させるためのものである。この「他の吐水設備（他の水栓）」の態様は特に問わず、例えば、「カラン等の他の吐水具を用いて構成される吐水設備」や、洗面所Ｅに配設された「洗濯機用の水栓」、洗面所Ｅに隣接する使用空間に配置される水栓（例えば、浴室用水栓）を例示できる。
【００４３】
使用者Ｍが、操作部３１を一方の回転方向に操作すると、「流路切換用の弁装置内に設けられた流入路（流入口２１ｂに一次側の端部を接続させた流路）」と、「流路切換用の弁装置内に設けられた第１の流出路（第１の流出口２１ｃに、二次側の端部を接続させた流路）」とが連通し、流入口２１ｂと第１の流出口２１ｃとが連通する。これにより、流入口２１ｂから流路切換部２１に到達した湯水（混合水、湯、若しくは、水）を、第１の流出口２１ｃを通じて流出させることが可能となる。
【００４４】
一方、使用者Ｍが、操作部３１を他方の回転方向に操作すると、「流路切換用の弁装置内に設けられた流入路（流入口２１ｂに、一次側の端部を接続させた流路）」と、「流路切換用の弁装置内に設けられた第２の流出路（第２の流出口に、二次側の端部を接続させた流路）」とが連通し、流入口２１ｂと第２の流出口（図示を省略）とが連通する。これにより、流入口２１ｂから流路切換部２１に到達した湯水（混合水、湯、若しくは、水）を、第２の流出口を通じて流出させることが可能となる。
【００４５】
また、操作部３１を何れの回転方向に操作する場合も、その操作量に基づいて、流路切換用の弁装置の開弁量が調節される。これにより、流路切換部２１から流出する湯水（混合水、湯、若しくは、水）の量が調節される。
【００４６】
図３に示すように、この流路切換部２１の第１の流出口２１ｃには、供給管２７の一次側の端部が接続されている。この供給管２７は、流路切換部２１から流出する湯水（混合水、湯、若しくは、水）を、シャワーホース５０に供給するためのものである。尚、この供給管２７の二次側の端部２７ａは、接続具２８を用いてシャワーホース５０に接続されている（図６を参照）。
【００４７】
この供給管２７の二次側の端部２７ａは、固定具２９を用いて収納空間部２内に固定されている。つまり、略アーチ状の把持部２９ａで、供給管２７の二次側の端部２７ａを把持した状態で、この固定具２９の取付代２９ｂが、壁部Ｈ（台本体１０の内部に位置する部位）にビス止め固定されている。尚、この固定具２９は、「固定部材」の具体例を構成する。
【００４８】
図１及び図５を用いて示されるように、設置部１２において、洗面ボール部１３よりも他方の側方側の部位（使用者Ｍから見て右側方側の部位）には、「挿通部」の具体例を構成する「挿通孔１６」が設けられている。この挿通孔１６は、図５に示すように、設置部１２を肉厚方向（上下方向）に貫通する状態に設けられている。また、設置部１２の上面であって、挿通孔１６を周回する位置には、「保持部」の具体例を構成するホルダー１７が配設されている。このホルダー１７は、両端を開口させた略円筒形状に構成され、軸心方向に形成される中空部１７ａを挿通孔１６に位置合わせしつつ、設置部１２の上面から立ち上げられている。尚、このホルダー１７によって実現されるシャワーヘッド４０の着脱方向は、収納空間部２の床面に対して、シャワーホース５０を略垂直に挿入したり、抜き出したりできる方向とすることが望ましい。
【００４９】
シャワーホース５０は、「ホース」の具体例を構成するものである。そして、金属製の螺旋管及び樹脂製チューブとを備える多層ホースを備える二重管を主体に構成されている（この二重構造の詳細な図示を省略）。つまり、このシャワーホース５０は、所謂「メタルホース」と称されるホースであり、略蛇腹状で、金属製の螺旋管を用いて構成されるアウター管と、樹脂製チューブによって構成されると共にアウター管に挿通させるインナー管と、を備える。このシャワーホース５０は、適度な弾性を備えている。
【００５０】
図６及び図７に示すように、このシャワーホース５０の一次側の端部５１は、接続具２８を用いて供給管２７の二次側の端部２７ａに接続され、シャワーホース５０の二次側の端部５２は、シャワーヘッド４０の基端部４０ａに接続されている。この供給管２７の二次側の端部２７ａは、前述の固定具２９を用いて壁部Ｈに固定的に支持されている。尚、シャワーホース５０の一次側の端部５１は、「第１の部位」の具体例を構成する。また、シャワーホース５０の一次側の端部５１は、請求項１の発明の「流入部」として機能する。更に、後述するシャワーホース５０の二次側の端部５２は、請求項１の発明の「流出部」として機能する。
【００５１】
このシャワーホース５０は、引き出し使用部５３と、常時収納部５５と、弾性蓄積部５６とを備えている。尚、このシャワーホース５０自体は、全体を通じて一体的なホースである。
【００５２】
引き出し使用部５３は、「二次側の端部５２を含む、シャワーホース５０の終端側の部分」である。この引き出し使用部５３は、挿通孔１６に挿通され、使用者Ｍの引き出し作業や収納作業に基づいて、所望の長さだけ、引き出したり、収納することが可能とされている。つまり、シャワーヘッド４０の基端部４０ａをホルダー１７に差し込むと、引き出し使用部５３の略全体が、設置部１２の裏側の収納空間部２に収納される。一方、使用者Ｍが、シャワーヘッド４０をホルダー１７から取り外し、自己の体（頭部等）の方向に引き寄せると、引き出し使用部５３は、「シャワーホース５０の二次側の端部５２」を先頭に、使用空間部１（特に、洗面ボール部１３上）に引き出される。
【００５３】
常時収納部５５は、引き出し使用部５３と、弾性蓄積部５６との間を構成する部分であり、引き出し使用部５３が使用空間部１に引き出されているか否かを問わず、常時、収納空間部２に収納される。
【００５４】
弾性蓄積部５６は、「一次側の端部５１を含む、シャワーホース５０の始端側の部分」である。この弾性蓄積部５６は、シャワーホース５０の一次側の端部５１側の部分を、中心角が略３６０度の「略渦巻き形（縦巻きの渦巻き形）」として構成されるもである。つまり、弾性蓄積部５６は、大小２つのＵ字形部分５７、５８を対向状に組み合わせた形状を備えている。尚、弾性蓄積部５６自体も、シャワーホース５０全体と同様に、一体的である。
【００５５】
弾性蓄積部５６の一次側の部位を構成する「小型のＵ字形部分５７」は、その一端部５７ｂによって、シャワーホース５０の一次側の端部５１を構成すると共に軸線方向に沿った中間部に湾曲部５７ａを形成している。また、弾性蓄積部５６の二次側の部位を構成する「大型のＵ字形部分５８」は、一端部５８ｂを、小型のＵ字形部分５７の他端部５７ｃと一体化させ、他端部５８ｃを、常時収納部５５の一次側の端部５５ａと一体化されている。また、大型のＵ字形部分５８も、軸線方向に沿った中間部に湾曲部５８ａを形成している。そして、この湾曲部５８ａと、前述の「小型のＵ字形部分５７」の湾曲部５７ａとは、相互に対向する状態となっている。
【００５６】
この弾性蓄積部５６においては、その一次側の端部５６ａ（シャワーホース５０の一次側の端部５１）が、挿通孔１６の方向とは逆方向に向けられつつ、接続具２８を用いて供給管２７の二次側の端部２７ａに接続されている。そして、軸心を、２つの湾曲部５７ａ、５８ａによって、２度湾曲させた後、弾性蓄積部５６の二次側の端部を５６ｂが常時収納部５５の一次側の端部５５ａと一体化されている。
【００５７】
このシャワーホース５０においては、弾性蓄積部５６の二次側の端部５６ｂが、ガイドリング６０によって支持されている。尚、この二次側の端部５６ｂは、「第２の部位」の一つの具体例を構成する。このガイドリング６０は、ガイド部材の具体例を構成するものであり、シャワーホース５０の軸心方向に沿った移動を許容し、シャワーホース５０の径方向への移動を当該ガイドリング６０内に抑制しつつ、弾性蓄積部５６の二次側の端部５６ｂを支持する。このガイドリング６０は、壁部Ｈのうちで収納空間部２内に位置する部位に回転可能な状態で支持されている。つまり、このガイドリング６０は、図８（ａ）及び（ｂ）に示すように、外周部６０ａと内周部６０ｂとをガイドリング６０の半径方向に貫通する貫通孔６０ｃが形成されている。そして、この貫通孔６０ｃに対して、ガイドリング６０の中心方向から半径外側方向に向かって、ビス６１の軸部が遊入される。その際、このビス６１の軸部は壁部Ｈに埋設されるため、このガイドリング６０は壁部Ｈに装着されている。
【００５８】
このガイドリング６０は、１つの直径方向を壁部Ｈに直交させつつ、ビス６１の軸心周りに回転可能な状態で壁部Ｈに装着されている。このガイドリング６０の内径は、シャワーホース５０（弾性蓄積部５６）の外径よりも大きくされている。このため、シャワーホース５０（引き出し使用部５３）の引き出し作業や、収納作業を行う際に、仮に、シャワーホース５０に予定外の上下動（壁部Ｈの上下方向に沿った動き）や、予定外の前後動（壁部Ｈの前後方向に沿った動き）を生じても、ガイドリング６０をビス６１の軸心回りに回転させたり、シャワーホース５０（引き出し使用部５３）をガイドリング６０の半径方向に揺動させ、この予定外の上下動や予定外の前後動を吸収することができる。
【００５９】
図６及び図７に示すように、弾性蓄積部５６の軸心方向に沿った中間部（具体的には、２次側に位置する湾曲部５８ａの中間部であって、「第２の部位」の他の具体例も構成する。）は、前述のガイドリング６０とは異なる態様のガイド部材（以下、「第２のガイド部材」という。）７０によって支持されている。この第２のガイド部材７０は、「湾曲中間部用のガイド部材」の具体例を構成し、略アーチ状の本体部７０ａと、その両端から突出する取付代７０ｂとを備えている。そして、本体部７０ａによって、シャワーホース５０の外周部を包囲した状態で、取付代７０ｂを、壁部Ｈにビス止め固定し、この壁部Ｈに固定されている。この本体部７０ａは、その内面部と壁部Ｈとの間にシャワーホース５０を遊入可能な通過空間を形成する。このため、この第２のガイド部材７０は、シャワーホース５０の軸心方向に沿った移動を許容し、シャワーホース５０の径方向（上下方向）に沿った移動を略禁止しつつ、弾性蓄積部５６の中間部を支持している。尚、本実施例では、各ガイドリング６０、６０Ａを、シャワーホース５０の径方向への移動を当該ガイドリング６０、６０Ａ内で許容する構造としたが、これらのガイドリング６０、６０Ａにおいても、シャワーホース５０の径方向への移動を略禁止してもよい。
【００６０】
常時収納部５５の中間部も、前述のガイドリング６０と同様なガイドリング６０Ａで支持されている。このガイドリング６０Ａは「外部ガイド部材」の具体例を構成する。また、このガイドリング６０Ａも、１つの直径方向を壁部Ｈに直交させつつ、ビス６１Ａの軸心周りに回転可能な状態で壁部Ｈに装着されている。このガイドリング６０Ａの内径も、シャワーホース５０の外径よりも大きくされている。このため、シャワーホース５０の引き出し作業や、収納作業を行う際に、仮に、シャワーホース５０に予定外の上下動（壁部Ｈの上下方向に沿った動き）や、予定外の前後動（壁部Ｈの前後方向に沿った動き）を生じても、ガイドリング６０Ａをビス６１Ａの軸心回りに回転させたり、シャワーホース５０（引き出し使用部５３）をガイドリング６０Ａの半径方向に揺動させ、この予定外の上下動や予定外の前後動を吸収することができる。
【００６１】
尚、本実施例では、シャワーホース５０の軸心に沿って、二次側に配設されるガイドリング６０Ａは、一次側に配設されるガイドリング６０よりも、壁部Ｈのより下方側に装着されている。このため、常時収納部５５が、その軸心をシャワーホース５０の二次側に向かって下り傾斜状としている。また、固定具２９は、ガイドリング６０よりも下方に配設されると共に、固定具２９よりも、ガイドリング６０の方が、シャワーヘッド４０に近接する位置に配置されている。
【００６２】
以上の洗面化粧台Ｄにおいて、使用者Ｍがシャワーヘッド４０をホルダー１７から取り外すと、引き出し使用部５３は、「シャワーホース５０の二次側の端部５２」を先頭に、使用空間部１（特に、洗面ボール部１３上）に引き出される。そして、このシャワーホース５０が、引き出される量が所定量を超えると、常時収納部５５が、収納空間部２内で挿通孔１６により近接する部位に移動する。これに伴い、弾性蓄積部５６において、２次側の端部５６ｂ側の部分が、収納空間部２内で挿通孔１６により近接する部位に移動する。このため、図９に示すように、弾性蓄積部５６は、両湾曲部５７ａ、５８ａの曲率を大きくするような弾性変形を行って（一点鎖線を参照）、弾性蓄積部５６に弾性エネルギーが蓄積させる。
【００６３】
一方、使用者Ｍがシャワーヘッド４０をホルダー１７に装着すると（ホルダー１７に、シャワーヘッド４０を保持させると）、引き出し使用部５３は、挿通孔１６を通じて収納空間部２内に挿入される。このとき、弾性蓄積部５６から弾性エネルギーが放出され、両湾曲部５７ａ、５８ａの弾性変形が解除される。つまり、弾性蓄積部５６が弾性変形前の状態を復元することで、引き出し使用部５３及び常時収納部５５が、収納空間部２の奥側（挿通孔１６からより離間する側）に引き込まれる。このため、引き出し使用部５３を収納空間部２に収納する作業は円滑に行われる。
【００６４】
本実施例によると、引き出し使用部５３を、シャワーヘッド４０と一体にて使用空間部１に引き出した場合、湾曲部５７ａ、５８ａにその曲率を増加させるような弾性変形を与えることができる。この弾性変形は、使用者Ｍが、シャワーヘッド４０を使用している間は維持される。一方、シャワーヘッド４０の使用を取り止めると、湾曲部５７ａ、５８ａはその弾性変形を解除する。そして、この湾曲部５７ａ、５８ａはその弾性変形を解除する際に放出される弾性エネルギーを用いて（その弾性変形を解除する際に放出される反力を用いて）、引き出し使用部５３は収納空間部２内に引き込まれる。よって、本実施例によると、引き出し使用部５３を収納空間部２に収納する収納作業を円滑に行うことができる。
【００６５】
しかも、本実施例では、弾性蓄積部５６の形態が、固定具２９と、ガイドリング６０、６０Ａと、第２のガイド部材７０との作用によって維持されるため、「引き出し使用部５３の収納作業の円滑化」という効果を確実に維持することができる。
【００６６】
また、本実施例では、壁部Ｈに装着される「固定具２９、ガイドリング６０、及び、第２のガイド部材７０」によって、弾性蓄積部５６を持ち上げるばかりか、ガイドリング６０Ａ（外部ガイドリング）を用いて常時収納部５５を持ち上げている。このため、シャワーホース５０の収納作業や引き出し作業を行う際に、シャワーホース５０と、収納空間部２の底部間に生ずる摩擦抵抗を軽減できる。よって、本実施例によると、この点からも、「引き出し使用部５３の収納作業の円滑化」という効果を得ることができる。
【００６７】
また、本実施例では、ガイドリング６０よりも下方に固定具２９を配置し、弾性蓄積部５６に働く重力をも利用しつつ、引き出し使用部５６の収納を行うことができる。このため、「引き出し使用部５３の収納作業の円滑化」という効果をより一層、確実に維持することができる。
【００６８】
更に、本実施例では、第２のガイド部材７０によって、大型の湾曲部５８を保護するため、「収納作業を円滑化する効果」を長期間に渡って発揮できる。また、本実施例では、「弾性蓄積部５６を設ける」という、簡単な改良をシャワーホース５０に加えることで、「引き出し使用部５３の収納作業の円滑化」という効果を得ることができる。つまり、この「円滑化」という効果を得るために、シャワーヘッド４０の使用者、製造業者、施工業者等に大きな「費用上の負担」を与えることはない。
【００６９】
尚、本各発明の範囲は前記各実施例に示す具体的な態様に限定されず、本各発明の範囲内で種々の変形例を例示できる。つまり、シャワーヘッド４０と、固定具２９と、ガイドリング６０、６０Ａと、第２のガイド部材７０の位置関係や寸法関係は、収納空間部２の広さや、設置部（カウンター）１２の形状等に応じて種々変更可能である。但し、その場合も、シャワーヘッド４０と、固定具２９と、ガイドリング６０、６０Ａと、第２のガイド部材７０の高さの位置関係を、実施例と共通とすると、好適である。つまり、ガイドリング６０Ａをガイドリング６０よりも、壁部Ｈのより下方側に装着し、常時収納部５５をシャワーホース５０の二次側に向かって下り傾斜状とする。しかも、固定具２９をガイドリング６０よりも下方に配設し、固定具２９よりも、ガイドリング６０の方が、シャワーヘッド４０に近接する位置に配置されることが望ましい。
【００７０】
また、本実施例では、弾性蓄積部５６を、中心角が略３６０度の「渦巻き形状」に構成したが、弾性蓄積部５６の形状（軸心の描く形状）はこれに限定されにない。例えば、図１０（ａ）の変形例１に示すように、弾性蓄積部５６を、中心角が略９０度等の「円弧形状」に構成してもよいし、図１０（ｂ）の変形例２に示すように、弾性蓄積部５６を、「略Ｕ形状」に構成してもよい。
【００７１】
本実施例では、ガイドリング６０よりも下方に固定具２９を配置したが、図１１（ａ）の変形例３に示すように、ガイドリング６０よりも上方に固定具２９を配置してもよい。また、本実施例では、弾性蓄積部５６を、シャワーホース５０の一次側の端部５１を含む状態に設けたが（弾性蓄積部５６を、シャワーホース５０の一次側の端部５１側の部位によって構成したが）、図１１（ｂ）の変形例４に示すように、弾性蓄積部５６を、シャワーホース５０の中間部に（一次側の端部５１を含まない状態に）設けてもよい。尚、この変形例４では、シャワーホース５０の中間部に、第１の部位を設け、当該第１の部位を固定具２９で固定している。
【産業上の利用可能性】
【００７２】
本発明は、例えば、水栓の製造、販売、施工、加工等を行う分野で利用可能である。
【図面の簡単な説明】
【００７３】
【図１】実施例の洗面化粧台の要部を示す平面図である。
【図２】実施例の洗面化粧台の要部を示す背面図である。
【図３】図１の１−１断面図（図２の１ａ−１ａ断面図）である（但し、要部のみを示す。）。
【図４】図１の２−２断面図（図２の２ａ−２ａ断面図）である（但し、要部のみを示す。）。
【図５】図１の３−３断面図（図２の３ａ−３ａ断面図）である（但し、要部のみを示す。）。
【図６】弾性蓄積部を説明するための斜視図である。
【図７】弾性蓄積部を説明するための正面図である。
【図８】（ａ）及び（ｂ）はガイドリングを説明するための説明図である。
【図９】弾性蓄積部の作用を説明するための説明図である。
【図１０】（ａ）は変形例１を説明するための正面図、（ｂ）は変形例２を説明するための正面図である。
【図１１】（ａ）は変形例３を説明するための正面図、（ｂ）は変形例４を説明するための正面図である。
【符号の説明】
【００７４】
Ｓ；収納構造、
１；使用空間部、
２；収納空間部、
１２；設置部、
２９；固定具（固定部材）、
４０；シャワーヘッド、
５０；シャワーホース（ホース）、
５１；１次側の端部、
５２；２次側の端部、
５３；引き出し使用部、
５６；弾性蓄積部、
５６ａ；１次側の端部、
５６ｂ；２次側の端部、
６０；ガイドリング（ガイド部材）、
６０Ａ；ガイドリング（外部ガイド部材）、
７０；第２のガイド部材（湾曲中間部用のガイド部材）。
【図１】
2007002546.tif 000003
【図２】
2007002546.tif 000004
【図３】
2007002546.tif 000005
【図４】
2007002546.tif 000006
【図５】
2007002546.tif 000007
【図６】
2007002546.tif 000008
【図７】
2007002546.tif 000009
【図８】
2007002546.tif 000010
【図９】
2007002546.tif 000011
【図１０】
2007002546.tif 000012
【図１１】
2007002546.tif 000013